(57)【要約】【課題】  従来の音楽再生機能を備えた携帯電話等の移動体通信端末を用いて、使用者の求める電波状態や時刻等の複雑な通達情報を知るには、移動体通信端末に備わった表示画面に出力される通達情報の内容を、読取る必要があった。【解決手段】  移動体通信端末に備わった表示画面に出力される通達情報の内容のうち、使用者が予め選択した電波状態や時刻等に関して、使用者の定める処理コマンドに従って処理した通達情報を、移動体通信端末に備えられた音声デ−タを用いて音声合成することから、通達情報の内容をスピ−カにより音声として再生する。【選択図】        図１
2007295261.tif 000002
【特許請求の範囲】
【請求項１】
音楽再生機能を有する移動体通信端末において、曲を記憶する音楽デ−タ記憶部と、予め決められた音声を記憶する音声デ−タ記憶部と、予めプログラミングされた処理コマンドから使用者の選択する通達を必要とする処理コマンドを記憶する設定情報記憶部と、前記通達を必要とする処理コマンドに基づいて処理された通達情報を、前記音声デ−タ記憶部に記憶された音声デ−タを用いて音声合成し、その音声合成された音声をスピ−カに再生する機能を持つ制御部とを備えたことを特徴とする音楽再生機能付き移動体通信端末。
【請求項２】
請求項１記載の音楽再生機能付き移動体通信端末において、曲再生中である場合は、曲終了後に、音声合成された音声をスピ−カに再生する機能を持つ制御部を備えたことを特徴とする音楽再生機能付き移動体通信端末。
【請求項３】
請求項２記載の音楽再生機能付き移動体通信端末において、曲再生中の通達情報を曲終了後の通達情報に修正し、その修正した通達情報に基づいて、音声合成し、その音声合成された音声をスピ−カに再生する機能を持つ制御部を備えたことを特徴とする音楽再生機能付き移動体通信端末。
【請求項４】
通達を必要とする処理コマンドが、時刻、経過時間、位置情報、電波状況、着信状況、電池状態のいずれかを通達するための処理コマンドであることを特徴とする請求項１ないし請求項３のいずれかに記載の音楽再生機能付き移動体通信端末。
【発明の詳細な説明】
【技術分野】
【０００１】
本発明は、例えば音楽再生機能を備えた携帯電話や自動車電話等の音楽再生機能付き移動体通信端末に関するものである。
【背景技術】
【０００２】
音楽再生機能付き携帯電話や自動車電話等の移動体通信端末では、ステレオヘッドホン等のイヤホンや、あるいはスピ−カ等を移動体通信端末に接続することにより、予め録音しておいた音楽や配信されてくる音楽等を楽しめるようになっている。また、音楽再生をしている間に電話着信のある場合は、ステレオヘッドホンの一方のイヤホンに音楽を再生し、他方のイヤホンに着信音を再生することで、音楽再生を停止することなく、電話着信の入っていることを使用者に通知するようになっている（例えば、特許文献１参照）。
【０００３】
【特許文献１】特開２００２−１９１０７４号公報（段落００１７）
【発明の開示】
【発明が解決しようとする課題】
【０００４】
従来の音楽再生機能を備えた携帯電話等は、音楽再生中の電話着信をイヤホンやスピ−カによる着信音の再生で実施されるものの、通信に必要な電波状態や使用者の気にする時刻あるいは位置情報等の各種情報についてイヤホン等を介して再生できるようになっていなかった。従って、使用者は各種情報を得るために、携帯電話等に備わった表示画面やインジゲ−タに表示された情報画面を観察することから、電波状態や時刻あるいは位置情報等を読取る必要があった。
【０００５】
本発明は上記の課題を解決し、例え音楽（曲）再生時であっても、使用者の得ようとする情報を移動体通信端末に備わった表示画面等から読取ることなく、確認できる音楽再生機能付き移動体通信端末を得ることを目的とする。
【課題を解決するための手段】
【０００６】
本発明の音楽再生機能付き移動体通信端末は、音楽再生機能を有する移動体通信端末であって、曲を記憶する音楽デ−タ記憶部と、予め決められた音声を記憶する音声デ−タ記憶部と、予めプログラミングされた処理コマンドから使用者の選択する通達を必要とする処理コマンドを記憶する設定情報記憶部と、前記通達を必要とする処理コマンドに基づいて処理された通達情報を、前記音声デ−タ記憶部に記憶された音声デ−タを用いて音声合成し、その音声合成された音声をスピ−カに再生する機能を持つ制御部とを備えたものである。
【発明の効果】
【０００７】
上記のように構成された音楽再生機能付き移動体通信端末によれば、使用者の通達を必要とする情報は、使用者によって、予めプログラミングされた処理コマンドの中から設定でき、それにより処理された通達情報を音声により確認できるため、表示画面を見る必要性がなくなるという効果が得られる。
【発明を実施するための最良の形態】
【０００８】
実施の形態１．
以下、図面に基づいて本発明の実施の形態１について詳細に説明する。図１はこの発明の音楽再生機能付き移動体通信端末の一種である携帯電話の概略構成を示すブロック図、図２はこの発明の携帯電話における音楽再生時の制御動作を示すフロ−チャ−ト、図３は、使用者がこの発明の携帯電話に予め登録できる設定項目の例である。なお、図１ないし図３中の同一部分ないし相当部分には、同一符号を付与している。
【０００９】
図１に示すように本発明の実施の形態１の携帯電話１００は、基地局２００からの下り信号をアンテナ１で受信し、その受信信号を無線部２に備わったフィルタ回路やスイッチ回路を経由し検波させた後に、シンセサイザ３から発せられるロ−カル信号を基にして復調部４で再生信号に再生し、その再生信号を制御部５に送ることで、下り信号の持つ内容を確認できるように構成されている。すなわち、制御部５に送られた復調信号は制御部５のもつ種々の制御回路と変換回路に基づいて、下り信号の内容に対応したアナログ信号やデジタル信号に変換され、それぞれスピ−カ６（ヘッドホン等の音出力端子）で音として再生されたり、表示部７（テレビ画面、インジケ−タ等）に表示されたりする。
【００１０】
一方、携帯電話１００に設けられたマイク８（音入力端子、アナログ信号入力端子等）からのアナログ信号や操作部９（プッシュボタン、スクロ−ルキ−、デジタル信号入力端子等）からのデジタル信号は制御部５に送られ、制御部５のもつ種々の制御回路と変換回路に基づいて、送信信号や表示部７の画像信号等に変換される。制御部５で変換された送信信号は、シンセサイザ３から発せられるロ−カル信号を基にして変調部１０で変調信号に変換され、無線部２を経由してアンテナ１より上り信号として基地局２００へ送信される。
【００１１】
また、本発明の実施の形態１の携帯電話１００には、予め決められた音声デ−タや擬音デ−タ等を格納した音声デ−タ記憶部１１および、任意の音楽デ−タ（曲デ−タ）や曲名やア−ティスト情報等を格納できる音楽デ−タ記憶部１２ならびに、予め音楽再生の順番や、一定間隔ごとに時刻等を通知するためにプログラミングされた処理コマンドの中から、使用者の判断に基づいて、通達を必要とする処理コマンド（設定情報）と選択される、一定間隔ごとの時刻通知条件等について記憶できるようにした設定情報記憶部１３が備えられ、さらに携帯電話１００を駆動させるための電源部１４（電池、発電機、電源供給端子等）が備えられている。また、上記音声デ−タ記憶部１１、音楽デ−タ記憶部１２ならびに設定情報記憶部１３が記憶部５０のもつデ−タの記録・記憶状態や各種の通知条件に対応する機能動作、ならびに電源部１４の状態等は、以下に詳細に説明するように制御部５によって、制御ないし監視され、通達情報となり最終的に音声としてスピ−カで再生される。
【００１２】
音声デ−タ記憶部１１に格納される音声デ−タ等は、制御部５のもつ種々の制御回路と変換回路に送られアナログ信号に変換され、スピ−カ６により音声等として再生される。また、同様に音楽デ−タ記憶部１２に格納される音楽デ−タ等も制御部５のもつ種々の制御回路と変換回路に送られ、アナログ信号にされ、曲等としてスピ−カ６に再生される。また、制御部５は、例えば使用者が表示部７を見ながら、操作部９を介して作成した曲再生の順番や、一定間隔ごとの時刻あるいは経過時間等を設定情報記憶部１３に登録する機能を有しており、また、制御部５は情報記憶部１３に使用者が登録した曲再生の順番に基づいて、前記音楽デ−タ記憶部１２に格納される音楽デ−タ等を再生したり、音声デ−タ記憶部１１に格納される音声デ−タ等を必要に応じて呼び出し、曲名やア−ティスト情報を音声合成し、音楽再生の間に音声で挿入したりする機能を有している。さらに、制御部５は曲や音声の各ボリュ−ムレベルを独立で変化させて、フェ−ドインあるいはフェ−ドアウトの状態にそれぞれを合成できる特殊機能も有している。なお、これらの機能や特殊機能は、使用者が予め情報記憶部１３に通達を必要とする処理コマンド（設定情報）として設定・登録（記憶）することにより、動作させられるようにしている。
【００１３】
アンテナ１で受信される基地局２００からの下り信号の電波状態や復調部４からの再生信号は制御部５に入力され、
前記情報記憶部１３に記憶した処理コマンドに基づいて処理された通達情報を、適宜スピ−カ６や表示部７を介して、下り信号の電波状態やその内容を音声で再生したり、画像表示したりする。また、アンテナ１に入力される下り信号の電界強度や下り信号から取り出される再生信号は、制御部５によってメ−ル着信情報や携帯電話１００の位置情報等から適宜識別され、前記情報記憶部１３に記憶した設定情報に基づいて処理されることで、必要に応じてスピ−カ６に音声等として、あるいは表示部７に画面情報として使用者に伝えられるようになっている。また、一定間隔ごとの時刻あるいは経過時間等は制御部５に内蔵されているタイマ−からの電気信号に基づき、電池の残量等に関する情報は電源部１４からの電圧や電流等の電気信号に基づき、制御部５によって監視させられるので、同様にスピ−カ６から音声として、あるいは表示部７に画面情報として使用者に伝えられるようになっている。
【００１４】
図２に示すフロ−チャ−トに基づき、本発明の携帯電話１００の音楽再生中に予め使用者が設定していた時刻になったり、あるいは電話着信があったりして、使用者にその情報を提供する必要が生じた時に制御部５が実施する制御動作について説明する。なお、ここでは使用者によって、あらかじめ記憶部５０である音声デ−タ記憶部１１に所定の音声デ−タ、音楽デ−タ記憶部１２に曲デ−タ、曲名、ア−ティスト情報等、設定情報記憶部１３に通達を必要とする処理コマンドである時刻通知条件、位置情報通知条件、着信情報通知条件、電波状況通知条件、バッテリ−残情報通知条件等が設定情報として、予め使用者によって設定されているものとして説明する。
【００１５】
使用者が、本発明の携帯電話１００の操作部９を介して電源を入れ（ＳＴ０）、音楽を再生させるスイッチを投入すると、制御部５は、設定情報記憶部１３に格納した音楽（曲）再生の順番の情報と音楽デ−タ記憶部１２に格納した音楽デ−タをもとにして、スピ−カ６から音楽を再生する。このとき制御部５は、音楽再生中であることを認識しているとともに、下り信号に基づく再生信号、タイマ−からの電気信号、電源部１４からの電気信号などの状態をそれぞれ認識している（システム全体から送られてくる種々の信号をそれぞれ認識している）。ただし、この時点では、制御部５に、設定情報記憶部１３に設定される設定情報に該当する信号が、未だ入力されていない待ち状態である（ＳＴ１）。
【００１６】
設定情報記憶部１３に設定された各種の設定情報に該当する可能性のある任意の入力信号が、システムから制御部５に入力があった場合、制御部５はその任意の入力信号の内容を予めプログラミングされた処理コマンドに基づいて処理することで確認する（ＳＴ２）。
【００１７】
制御部５は、入力信号の内容を確認した後、あらかじめ使用者が設定情報記憶部１３に記憶させておいた、対応する通知条件の設定情報と参照することで、使用者への通知の必要の有無判断を実施する（ＳＴ３）。
【００１８】
ＳＴ３で、例えば入力信号がタイマ−からの電気信号であり、時刻通知条件に該当せずに通知不要と判定されると、通知信号確認待ち状態（ＳＴ１）に戻される。一方で、時刻通知条件や経過時間の通知条件に該当し、通知要と判定（通達情報であると判定）され、通知のタイミングが指定されていると、制御部５は使用者への通知のタイミングを決定するために、再生中の音楽の状態が演奏中であるか、曲間にあるかの判断を実施する（ＳＴ４）。通知のタイミングが曲間と設定されている場合について、以下に説明する。
【００１９】
音楽の状態が演奏中である場合は、曲が終了するのを待ち（ＳＴ５）、通達情報に対して下記のような音声合成処理を実施する（ＳＴ６）。曲間にある場合は、直ちに音声合成処理を実施する（ＳＴ６）。音声合成処理は、入力信号に対応する設定条件にあわせて、音声デ−タ記憶部１１の音声デ−タをもとに合成される。例えば、設定情報の内容が「５時ごろに通知する。曲間。」と設定され、制御部５にタイマ−からの電気信号が時刻５時で入力され、通達情報に該当すると判断され、曲の終了までに３分間を要する場合では、この３分間を考慮することで、通達情報を修正し、「５、時、３、分、をお知らせします」と音声デ−タを合成するものである。
【００２０】
なお、使用者が着信情報の通知に緊急性を要すると判断し、着信通知設定の通知タイミングをリアルタイムに設定している場合は、ＳＴ３で通達情報に該当すると判断され、直ちに音声合成処理を実施（ＳＴ６）する。この場合の音声合成処理は、「ただいま、着信、している、ことを、お知らせします」と音声デ−タを合成するものである。ただし、使用者が緊急性を必要とせず、設定情報の内容である着信通知設定の通知タイミングを曲間に設定している場合は、ＳＴ４、ＳＴ５、ＳＴ６あるいはＳＴ３、ＳＴ６のステップを実施する。そして、例えば曲の終了までに２分間を要した場合では、通達情報を修正し「２、分、前に、着信のあった、ことを、お知らせします」等の音声合成処理をするものである。
【００２１】
音声合成処理（ＳＴ６）の実施後、制御部５は設定情報の内容に従って合成処理した音声デ−タをもとにして、アナログ信号を生成し、スピ−カ６で音声を再生する（ＳＴ７）。あるいは、音楽デ−タに音声デ−タを重ね合わせて、スピ−カ６で音声と音楽を重ねて再生する（ＳＴ７）。音声の再生完了後は、ＳＴ１の通知信号確認待ち状態に戻す。
【００２２】
図３（ａ）、（ｂ−１）、（ｃ−２）は、この発明の携帯電話に備えられた記憶部５０の音声デ−タ記憶部１１および設定情報記憶部１３等に、予め決められた音声および予めプログラミングされた処理コマンドから使用者の選択する通達を必要とする処理コマンドを記憶する設定情報の一例を列挙する。なお、これらの情報は、表示部７で確認できるようになっている。音声デ−タ記憶部１１には、予め図３（ａ）に示すように音声デ−タとして、「１〜１００」等の数字、「分秒、日時、月日、年度」等の時刻に対応する各種の単語の読み出し音、基地局等との電波状況に対応する「圏外、圏内、になりました、曲の途中ですが」等の音節の読み出し音、「引き続きこの曲をお聞きください」等のフレ−ズの読み出し音等が記録されている。なお、前記以外の音声デ−タとしては「あ、か、さ、た、な」等の母音や子音の読み出し音や「風や波、祭囃子等」の擬音等であっても良い。
【００２３】
設定情報記憶部１３には、図３（ｂ−１）に示すように「時刻通知設定」や「位置情報通知設定」等の予めプログラミングされた処理コマンドである機能設定メニュ−が設けられており、その中から使用者が通達を必要とする処理コマンドとして、例えば図３（ｂ−１）に示すように「時刻通知設定」を選択使用とする場合、「毎時（毎時０分ごとでの時報を通知）あるいは、３０分毎（３０分毎の時刻を通知）あるいは、曲終了時の時刻を通知、通知しない等」等を適宜、選択できるようになっている。また、それらの「通知タイミング」もその都度使用者が、「リアルタイムで、あるいは曲終了時（曲間）のタイミングで通知する」ように、選択できるようにしている。
【００２４】
さらに、設定情報記憶部１３には、図３（ｂ−２）に示すように「電波状況通知設定」等の予め定められた状態設定メニュ−が設けられており、その中から例えば図３（ｂ−２）に示すように、使用者が「電波状況通知設定」を選択する場合においては、その「通知内容」として、「圏外から圏内への移行時、圏内から圏外への移行時、どこにおいても通知しない等」を設定できるようにしている。また、それらの「通知タイミング」もその都度使用者が、「リアルタイム、あるいは曲終了時（曲間）」等で通知できるように、選択できるようにしている。以下、具体的に説明する。
【００２５】
例えば設定情報記憶部１３の「時刻通知設定」が、「毎時」と選択設定されている場合は、以下のような処理になる。携帯電話１００の制御部５に内蔵されているタイマ−が７時になったとすると、タイマ−から７時になったことを、制御部５に知らせる信号が発せられる。制御部５は、タイマ−からの信号に基づき、７時になったことを認知すると同時に、設定情報記憶部１３に記録された機能設定メニュ−の内容を参照し、通達情報として「時刻通知設定」の「毎時」と選択設定されていることを確認する。そして、制御部５は予め定められた「時刻通知設定」の「毎時」に対応するように構成されたプログラムを起動し、音声デ−タ記憶部１１に登録しておいた音声デ−タを順次検索し時系列的に合成することから、時刻７時に対応する音声の読み込み合成を実施する。すなわち、音声で「７、時、になりました」という音声信号を、スピ−カ６に送信することで、音として再生する。なお、その際、スピ−カ６において音楽が再生されている場合においては、設定情報記憶部１３に記録された「通知タイミング」の内容と参照し、例えば、リアルタイムで時刻を知らせる音声デ−タを、再生中の音楽に重ね合わせ、音楽をフェ−ドアウトしながら（ボリュ−ム調整しながら）再生できるようにし、その後再び音楽をフェ−ドインしても良いし、曲終了時に音声で「７、時、・・、分、・・、秒になりました」と音楽と音声を別々に再生できるようにしても良い。
【００２６】
なお、フェ−ドアウト、フェ−ドインは必ずしも設ける必要性はない。また、上記のように音声を「７、時、になりました」と提携にする必要性も無く、記憶部５０が記録でき、制御部５が管理できる情報であれば、いかなるフレ−ズや音声として構成にしても良いし、さらに情報を音として再生できるものとしてもよい。例えば、時刻情報であれば、「何時何分になりました。引き続きこの曲をお聞きください。」、電波状況であれば、「お聞きの曲を聴いている間に圏外になりました。」、電池情報であれば、「電池が少なくなってきました。充電してください」、メ−ル情報であれば「今の曲をお楽しみの間に、メ−ルを受信しました。」、位置情報であれば「音楽の途中ですが目的地に近づきました。」、着信情報であれば「音楽の途中ですが〜さんからお電話です。」としても良い。
【００２７】
以上説明した通り、本発明の実施の形態１の携帯電話１００においては、予め使用者が設定していた「時刻通知設定」、「経過時間通知設定」、「位置情報通知設定」、「電波状況通知設定」、「着信通知設定」、「電池切れ通知設定」等の予めプログラミングされ、通達を必要とする処理コマンドに対応して、携帯電話１００の制御部５が通達情報を提供する必要性を認識した時に、その都度、制御部５により音声デ−タ記憶部１１に記憶した音声デ−タを音声合成処理し、スピ−カから再生するので、例え複雑な情報であっても、的確に使用者に伝えることができるという効果が得られる。従って使用者は、使用者の必要とする情報を携帯電話等に備わった表示画面やインジゲ−タの表示画面を見ることなく、音声により確認できるという格別の効果が得られる。なお、このような数多くの種類を持った通知情報を、従来の携帯電話に採用されている単純な通知音を用いて的確に実現することは、到底できないことは明らかである。
【００２８】
以上、本発明の実施の形態１では携帯電話１００について詳細に説明したが、自動車電話等の自動車に固定された電話であっても、携帯電話１００と同様に、予め使用者が設定していた「時刻通知設定」、「経過時間通知設定」、「位置情報通知設定」、「電波状況通知設定」、「着信通知設定」、「電池切れ通知設定」等の数多くの設定情報に対応して、自動車電話の制御部５が通達情報を提供する必要が生じた時に、その都度、制御部５により音声デ−タ記憶部１１に記憶した音声デ−タを音声合成処理し、スピ−カから再生するので、例え複雑な情報であっても、的確に使用者に伝えることができるという効果が得られることは明らかである。特に、自動車電話等では、運転中のわき見運転を防止できるという格別な効果が得られることは、言うまでもない。
【図面の簡単な説明】
【００２９】
【図１】はこの発明の携帯電話の概略構成を示すブロック図である。
【図２】はこの発明の携帯電話の制御動作を示すフロ−チャ−トである。
【図３】はこの発明の携帯電話に記憶させた音声デ−タと設定情報の例である。
【符号の説明】
【００３０】
５      制御部                      ６      スピ−カ
１１      音声デ−タ記憶部          １２      音楽デ−タ記憶部
１３      設定情報記憶部          １００      携帯電話
【図１】
2007295261.tif 000003
【図２】
2007295261.tif 000004
【図３】
2007295261.tif 000005